(57)【要約】  【課題】綺麗な放送映像をモニタに表示すると共に、映像信号の変換回路に影響されることなく放送映像を表示することのできる記録再生装置一体型テレビジョン受像機を提供する。  【解決手段】ビデオデコーダ２８は、入力されるコンポジット信号Ｓａの良否を検知する機能も備える。コンポジット信号Ｓａが良好である場合は、ビデオデコーダ２８およびビデオエンコーダ３０によってコンポジット信号Ｓａから変換されたＹ／Ｃ信号Ｓｄが出力信号選択回路３１で選択され、Ｙ／Ｃ信号Ｓｄによって放送映像がモニタ５２に表示される。それに対し、コンポジット信号Ｓａが良好ではない場合は、すなわちＹ／Ｃ信号Ｓｄを生成できないような場合は、コンポジット信号Ｓａが出力信号選択回路３１で選択され、コンポジット信号Ｓａによって放送映像がモニタ５２に表示される。【選択図】  図１
2006135852.tif 000002
【特許請求の範囲】
【請求項１】
放送信号の受信部から出力されるコンポジット信号を変換してデジタル信号を出力するビデオデコーダと、
前記デジタル信号をＤＶＤに記録すると共に当該ＤＶＤに記録されたデータを再生する記録再生手段と、
前記再生されたデータまたは前記デジタル信号のいずれかを変換してＹ／Ｃ信号を出力するビデオエンコーダと、
映像を表示するモニタと、
前記放送信号の受信状態を検知する検知手段と、
装置の各部を制御する制御手段と、を備え、
前記制御手段は、
前記検知手段が良好な受信状態を検知したときは、前記デジタル信号を変換するように前記ビデオエンコーダを制御することにより、前記Ｙ／Ｃ信号によって放送映像を前記モニタに表示させ、
前記検知手段が良好ではない受信状態を検知したときは、前記コンポジット信号によって放送映像を前記モニタに表示させ、
前記ＤＶＤの再生時は、前記再生されたデータを変換するように前記ビデオエンコーダを制御することにより、前記Ｙ／Ｃ信号によって再生映像を前記モニタに表示させることを特徴とする記録再生装置一体型テレビジョン受像機。
【請求項２】
放送信号の受信部から出力されるコンポジット信号を変換してデジタル信号を出力するビデオデコーダと、
前記デジタル信号を記録媒体に記録すると共に当該記録媒体に記録されたデータを再生する記録再生手段と、
前記再生されたデータまたは前記デジタル信号のいずれかを変換してＹ／Ｃ信号またはコンポーネント信号を出力するビデオエンコーダと、
映像を表示するモニタと、
前記放送信号の受信状態を検知する検知手段と、
装置の各部を制御する制御手段と、を備え、
前記制御手段は、
前記検知手段が良好な受信状態を検知したときは、前記デジタル信号を変換するように前記ビデオエンコーダを制御することにより、前記Ｙ／Ｃ信号またはコンポーネント信号によって放送映像を前記モニタに表示させ、
前記検知手段が良好ではない受信状態を検知したときは、前記コンポジット信号によって放送映像を前記モニタに表示させ、
前記記録媒体の再生時は、前記再生されたデータを変換するように前記ビデオエンコーダを制御することにより、前記Ｙ／Ｃ信号またはコンポーネント信号によって再生映像を前記モニタに表示させることを特徴とする記録再生装置一体型テレビジョン受像機。
【請求項３】
請求項２に記載の記録再生装置一体型テレビジョン受像機において、
前記検知手段が良好ではない受信状態を検知したときの表示方法を規定する規定値を記憶する記憶部を設け、
前記制御手段は、前記規定値が第１の値であるときは前記コンポジット信号によって放送映像を前記モニタに表示させ、前記規定値が第２の値であるときは前記Ｙ／Ｃ信号またはコンポーネント信号によって放送映像を前記モニタに表示させることを特徴とする記録再生装置一体型テレビジョン受像機。
【発明の詳細な説明】
【技術分野】
【０００１】
本発明は、記録再生装置一体型テレビジョン受像機に関する。
【背景技術】
【０００２】
従来のＤＶＤレコーダ一体型テレビジョン受像機は、下記の特許文献１に示されるように、ＤＶＤに記録された映像データをアナログの映像信号に変換し、この映像信号によってＤＶＤの再生映像をモニタに表示すると共に、放送受信部が出力するコンポジット信号によって放送映像をモニタに表示する。また、下記の特許文献２には、ＤＶＤの静止再生映像やオンスクリーン表示が継続してモニタに表示されるときに対処すべく、モニタ画面の焼き付き防止機能を備えたＤＶＤプレーヤ一体型テレビジョン受像機が示されている。下記の特許文献３には、ビデオテープレコーダ一体型テレビジョン受像機の構成が示されている。
【特許文献１】特開平９−１６３３０５号公報（段落０００１〜０００８、図６）
【特許文献２】特開平１１−４３９０号公報（要約、段落００４１〜００４５）
【特許文献３】登録実用新案第３０００６９６号公報（要約）
【発明の開示】
【発明が解決しようとする課題】
【０００３】
一方、綺麗な放送映像をモニタに表示するためには、放送受信部から出力されるコンポジット信号によって放送映像を表示させるのではなく、放送信号の記録再生に用いられる回路でコンポジット信号をデジタル化した後にＹ／Ｃ信号（Ｙ信号（輝度信号）とＣ信号（クロマ信号）とに分離されたアナログ信号）に変換し、Ｙ／Ｃ信号によって放送映像を表示させることが望ましい。しかし、このようにすると、放送信号の受信状態が悪く、コンポジット信号の信号レベルが小さい場合などには、上記の記録再生用の回路の能力の限界を超え、コンポジット信号をＹ／Ｃ信号に変換できないことがある。このため、Ｙ／Ｃ信号が無信号状態となり、放送映像がモニタに全く表示されなくなるという問題が生じる。
【０００４】
本発明は、上記問題点を解決するものであって、その課題とするところは、綺麗な放送映像をモニタに表示すると共に、映像信号の変換回路に影響されることなく放送映像を表示することのできる記録再生装置一体型テレビジョン受像機を提供することにある。
【課題を解決するための手段】
【０００５】
本発明の記録再生装置一体型テレビジョン受像機は、放送信号の受信部から出力されるコンポジット信号を変換してデジタル信号を出力するビデオデコーダと、デジタル信号を記録媒体に記録すると共に当該記録媒体に記録されたデータを再生する記録再生手段と、再生されたデータまたは上記デジタル信号のいずれかを変換してＹ／Ｃ信号またはコンポーネント信号を出力するビデオエンコーダと、映像を表示するモニタと、放送信号の受信状態を検知する検知手段と、装置の各部を制御する制御手段と、を備える。制御手段は、検知手段が良好な受信状態を検知したときは、上記デジタル信号を変換するようにビデオエンコーダを制御することにより、Ｙ／Ｃ信号またはコンポーネント信号によって放送映像をモニタに表示させる。検知手段が良好ではない受信状態を検知したときは、コンポジット信号によって放送映像をモニタに表示させる。さらに、記録媒体の再生時は、再生されたデータを変換するようにビデオエンコーダを制御することにより、Ｙ／Ｃ信号またはコンポーネント信号によって再生映像をモニタに表示させる。ここで、上記の制御手段には、実施形態に示すＣＰＵ２１やＣＰＵ４１などが相当する。記録再生手段には、実施形態に示す記録再生部２６、ＭＰＥＧ２エンコーダ２７およびＭＰＥＧ２デコーダ２９が相当する。また、検知手段には、例えば、放送信号の受信状態の良否を検知する機能も備えた、実施形態に示すビデオデコーダ２８が相当する。
【０００６】
上記のように、放送信号の受信状態が良好であるときは、Ｙ／Ｃ信号またはコンポーネント信号によって放送映像がモニタに表示されるので、コンポジット信号によって放送映像を表示するときに生じる問題（例えば、輝度信号中に僅かに残留している色信号によって生じるドット妨害や、色信号に輝度信号が混入するために生じるクロスカラー）が生じることがなく、テレビ放送の綺麗な映像をモニタに表示することができる。しかも、Ｙ／Ｃ信号またはコンポーネント信号を生成するために使用されるエンコーダなどは、元々は放送信号を記録・再生するためのものであるので、装置のコストが嵩むこともない。一方、放送信号の受信状態が良好ではないときは、受信部から出力されるコンポジット信号によって放送映像がモニタに表示されるので、ビデオデコーダとビデオエンコーダとによってコンポジット信号からＹ／Ｃ信号またはコンポーネント信号を生成できないような場合でも、ユーザは放送信号の受信状態に相応の放送映像を観ることができる。
【０００７】
本発明の実施形態においては、記録媒体はＤＶＤであり、Ｙ／Ｃ信号またはコンポーネント信号のうちでＹ／Ｃ信号によって放送映像および再生映像を表示する。このようにすることで、コンポーネント信号を生成するために回路が不要となり、装置のコストダウンを図ることができる。
【０００８】
また、本発明の実施形態においては、検知手段が良好ではない受信状態を検知したときの表示方法を規定する規定値を記憶する記憶部（例えば、実施形態に示すフラッシュメモリ２４）を設け、制御手段は、規定値が第１の値であるときはコンポジット信号によって放送映像をモニタに表示させ、規定値が第２の値であるときはＹ／Ｃ信号またはコンポーネント信号によって放送映像をモニタに表示させる。このようにすることで、ユーザの好みに応じた表示方法を提供することができる。
【発明の効果】
【０００９】
本発明によれば、放送信号の受信状態が良好であるときはＹ／Ｃ信号またはコンポーネント信号によって放送映像が表示され、放送信号の受信状態が良好ではないときはコンポジット信号によって放送映像が表示されるので、綺麗な放送映像がモニタに表示されると共に、映像信号の変換回路に影響されることなく放送映像が表示される。
【発明を実施するための最良の形態】
【００１０】
図１は、本発明に係る記録再生装置一体型テレビジョン受像機の一例であるＤＶＤレコーダ一体型テレビジョン受像機（以下、装置という）のブロック図であり、この装置はＤＶＤレコーダ部２（以下、レコーダ部２という）とテレビジョン受像機部４（以下、テレビ部４という）とから構成される。図中の矢印付きの破線は制御信号の流れを示す。尚、テレビ放送の音声信号の処理は本発明の直接的事項ではないので、図示および説明を省略する。
【００１１】
レコーダ部２には、ＣＰＵ２１、ＲＯＭ２２、ＲＡＭ２３およびフラッシュメモリ２４が設けられている。ＣＰＵ２１は、ＲＯＭ２２に格納されているプログラムを実行することによって、レコーダ部２の各部の動作を制御する。また、テレビ部４のＣＰＵ４１に対してコマンドやデータを送受信する。ＲＡＭ２３は、各種の制御データ等の記憶領域およびＣＰＵ２１の演算作業領域として使用される。フラッシュメモリ２４には、ビデオエンコーダ３０などのレコーダ部２の各部の設定データが保存されている。電源の投入後にＣＰＵ２１がこれらの設定データを読み出して各部に設定することにより、各部が所望の動作をする。
【００１２】
テレビ部４にも、別にＣＰＵ４１、ＲＯＭ４２およびＲＡＭ４３が設けられている。ＣＰＵ４１は、ＲＯＭ４２に格納されているプログラムを実行することによって、テレビ部４の各部の動作を制御する。ＲＡＭ４３は、各種の制御データ等の記憶領域およびＣＰＵ４１の演算作業領域として使用される。テレビ部４のリモコン４４には、電源オン／オフボタン、再生キーなどのレコーダ部２用の操作キー、および選局キーなどのテレビ部４用の操作キーが設けられている。テレビ部４用の操作キーが押されると、ＣＰＵ４１は押された操作キーに応じた処理を行う。それに対し、レコーダ部２用の操作キーが押されると、ＣＰＵ４１は操作キーの情報をレコーダ部２のＣＰＵ２１に送信する。この情報を受信したレコーダ部２のＣＰＵ２１は、押された操作キーに応じた処理を行う。
【００１３】
次に、映像信号について説明する。アンテナ４５で受信された放送信号は、チューナ４６で選局され、増幅／検波回路４７に入力される。増幅／検波回路４７は、入力信号を増幅した後に検波することにより、アナログの放送映像信号であるコンポジット信号を出力する。入力信号選択回路４９は、ＣＰＵ４１が設定する設定データに従って、増幅／検波回路４７の出力信号または外部入力端子４８から入力される信号（例えば、外部入力端子４８に接続されたビデオテープレコーダがビデオテープの再生時に出力するコンポジット信号）のいずれか一方を選択して出力する。この出力信号もコンポジット信号であるので、当該信号をコンポジット信号Ｓａとよぶことにする。このコンポジット信号Ｓａはビデオデコーダ２８および出力信号選択回路３１に入力される。以下では、入力信号選択回路４９は増幅／検波回路４７の出力信号を選択するように設定されているものとして説明を行う。
【００１４】
ビデオデコーダ２８は、コンポジット信号Ｓａを１つの輝度信号と２つの色差信号とに分離した後にデジタル化することにより、デジタル信号（デジタル放送映像信号）Ｓｂを出力する。また、ビデオデコーダ２８は、コンポジット信号Ｓａの良否、すなわち放送信号の受信状態の良否を、コンポジット信号Ｓａの信号レベルなどから検知する機能も備えている。例えば、コンポジット信号Ｓａの信号レベルが予め設定された所定値以上であれば受信状態は良好であり、閾値未満であれば受信状態は不良となる。この検知情報はＣＰＵ２１によって取得される。尚、後述するように、検知情報によってモニタの映像表示用の信号が切り換えられるので、コンポジット信号Ｓａの良否の状態が変化したときに、変化後の状態が所定時間（例えば、１秒）継続するときに限り検知情報を更新することが望ましい。
【００１５】
上記のデジタル放送映像信号ＳｂはＭＰＥＧ２エンコーダ２７によってＭＰＥＧ２方式に符号化される。そして、符号化された放送映像信号は、記録再生部２６で記録型のＤＶＤ２５（ＤＶＤ−ＲやＤＶＤ−ＲＷなど）に記録される。記録再生部２６は、ＤＶＤ２５に対してデータの書き込みおよび読み出しを行うための光ピックアップ、符号化された放送映像信号をＤＶＤ２５の書き込み信号に変調する変調回路、ＤＶＤ２５から読み出された信号を復調する復調回路、ＤＶＤ２５を載置して装置内に搬入するためのトレイ、ＤＶＤ２５を回転させるための回転駆動機構等から構成される。
【００１６】
記録再生部２６で再生されたＤＶＤ２５のデータは、ＭＰＥＧ２デコーダ２９で復号化される。復号化された信号、すなわち再生映像信号Ｓｃはビデオエンコーダ３０に入力される。上記のデジタル放送映像信号Ｓｂもビデオエンコーダ３０に入力される。ビデオエンコーダ３０は、ＣＰＵ２１によって設定された設定データに従って、再生映像信号Ｓｃまたはデジタル放送映像信号Ｓｂのいずれか一方をＹ／Ｃ信号Ｓｄにエンコードして出力する。Ｙ／Ｃ信号Ｓｄは、Ｙ信号（輝度信号）とＣ信号（クロマ信号）とからなるアナログの映像信号である。出力信号選択回路３１は、ＣＰＵ２１が設定する設定データに従って、Ｙ／Ｃ信号Ｓｄまたはコンポジット信号Ｓａのいずれか一方を選択して出力する。この出力信号を映像表示信号Ｓｅとよぶ。
【００１７】
ＯＳＤ処理部５０は、映像表示信号ＳｅにＣＰＵ４１が送出するオンスクリーン表示信号を重畳して出力する。オンスクリーン表示信号は、オンスクリーン表示（例えば、現在の放送チャンネルの番号や音量など表示）を行うときにＣＰＵ４１が生成して送出する信号である。映像信号処理／増幅部５１は、ＯＳＤ処理部５０の出力信号から垂直同期信号や水平同期信号、Ｒ，Ｇ，Ｂ信号を抽出し、抽出した信号を増幅して出力する。この増幅された信号でモニタ５２が駆動されることにより、リアルタイムの放送映像、ＤＶＤ２５の再生映像、およびオンスクリーン表示がモニタ５２に表示される。
【００１８】
次に、装置の動作について説明する。図２はレコーダ部２の動作を示すフローチャートであり、図３はテレビ部４の動作を示すフローチャートである。まず、図２を参照してレコーダ部２の動作について説明する。電源が投入されると、ＣＰＵ２１は、レコーダ部２の各部の初期化処理（フラッシュメモリ２４に保存されているデータを読み出し、これらのデータをビデオエンコーダ３０などに設定する処理、記録再生部２６の光ピックアップを基準位置に移動させる処理など）を行った後に、デジタル放送映像信号ＳｂをＹ／Ｃ信号Ｓｄにエンコードするようにビデオエンコーダ３０を設定する（Ｓ１１）。
【００１９】
次に、ＣＰＵ２１は、ビデオデコーダ２８から上記のコンポジット信号Ｓａの良否の検知情報を取得することにより、コンポジット信号Ｓａの良否を判定する（Ｓ１２）。コンポジット信号Ｓａが良好であれば（Ｓ１２：ＹＥＳ）、ＣＰＵ２１はＹ／Ｃ信号Ｓｄを選択するように出力信号選択回路３１を設定し（Ｓ１３）、コンポジット信号Ｓａが良好でなければ（不良であれば）（Ｓ１２：ＮＯ）、コンポジット信号Ｓａを選択するように出力信号選択回路３１を設定する（Ｓ１４）。次に、ＣＰＵ２１は、テレビ部４のＣＰＵ４１から操作キーの情報を受信したか否かを判定する（Ｓ１５）。操作キーの情報を受信していない場合は（Ｓ１５：ＮＯ）、ＣＰＵ２１は再びコンポジット信号Ｓａの良否を判定する（Ｓ１２）。操作キーの情報を受信した場合は（Ｓ１５：ＹＥＳ）、ＣＰＵ２１は当該操作キーがＤＶＤ２５の再生用の操作キーであるか否かを判定する（Ｓ１６）。
【００２０】
当該操作キーがＤＶＤ２５の再生用の操作キーである場合は（Ｓ１６：ＹＥＳ）、ＣＰＵ２１は、ＤＶＤ２５の再生映像信号ＳｃをＹ／Ｃ信号Ｓｄにエンコードするようにビデオエンコーダ３０を設定し（Ｓ１７）、さらに、Ｙ／Ｃ信号Ｓｄを選択するように出力信号選択回路３１を設定する（Ｓ１８）。そして、記録再生部２６の回転駆動機構などを作動させることによりＤＶＤ２５の再生を開始する（Ｓ１９）。その後、ＤＶＤ２５の再生が終了すると（Ｓ２０：ＹＥＳ）、ＣＰＵ２１は、リアルタイムの放送映像がモニタ５２に表示されるように、デジタル放送映像信号ＳｂをＹ／Ｃ信号Ｓｄにエンコードするようにビデオエンコーダ３０を設定し（Ｓ２１）、再びコンポジット信号Ｓａの良否を判定する（Ｓ１２）。受信した操作キーの情報がＤＶＤ２５の再生用の操作キーのものではない場合は（Ｓ１６：ＮＯ）、ＣＰＵ２１は、他の処理（例えば、当該操作キーが録画キーであるときは、放送映像信号をＤＶＤ２５に記録する処理）を行い（Ｓ２２）、再びコンポジット信号Ｓａの良否を判定する（Ｓ１２）。
【００２１】
以上の説明をまとめると、ＤＶＤ２５を再生していないときには、コンポジット信号Ｓａが良好であれば、Ｙ／Ｃ信号Ｓｄによって放送映像がモニタ５２に表示されるので、綺麗な映像で放送映像が表示される。それに対し、コンポジット信号Ｓａが良好でなければ、コンポジット信号Ｓａによって放送映像がモニタ５２に表示される。つまり、コンポジット信号ＳａからＹ／Ｃ信号Ｓｄを生成できないような場合でも、放送映像は非表示状態とならず、放送信号の受信状態に相応の放送映像が表示される。一方、ＤＶＤ２５の再生中は、再生映像信号ＳｃがエンコードされたＹ／Ｃ信号ＳｄによってＤＶＤ２５の再生映像がモニタ５２に表示される。
【００２２】
尚、図２には示されていないが、コンポジット信号Ｓａが良好ではないこと、すなわち放送信号の受信状態が良好ではないことをユーザに知らせるために、受信状態が良好ではないことを示すメッセージをモニタ５２にオンスクリーン表示するようにしてもよい。また、上記の説明では、コンポジット信号Ｓａが良好ではないときは、コンポジット信号Ｓａが出力信号選択回路３１で常に選択された。これに代えて、コンポジット信号Ｓａが良好ではないときの表示方法を規定するデータをフラッシュメモリ２４に設定しておき、当該データの値（例えば、第１、第２の値である「０」、「１」）に従ってコンポジット信号ＳａまたはＹ／Ｃ信号Ｓｄのいずれか一方が出力信号選択回路３１で選択されるようにしてもよい。この場合、設定された上記データは、リモコン４４の操作キーで所定の操作をすることにより変更することができる。
【００２３】
次に、図３を参照してテレビ部４の動作について説明する。電源が投入されると、ＣＰＵ４１は、放送信号（増幅／検波回路４７の出力信号）を選択するように入力信号選択回路４９を設定する（Ｓ３１）。尚、リモコン４４の操作キーで外部入力端子４８から入力される信号の映像をモニタに表示させる操作や、当該信号をＤＶＤ２５に記録させる操作が行われた場合には、ＣＰＵ４１は、外部入力端子４８から入力される信号を選択するように入力信号選択回路４９を設定する。
【００２４】
そして、ＣＰＵ４１はリモコン４４の操作キーが押されるのを待つ（Ｓ３２）。操作キーが押されると（Ｓ３２：ＹＥＳ）、ＣＰＵ４１は当該操作キーがレコーダ部２用の操作キーであるか否かを判定する（Ｓ３３）。当該操作キーがレコーダ部２用の操作キーである場合は（Ｓ３３：ＹＥＳ）、ＣＰＵ４１は、当該操作キーの情報をレコーダ部２のＣＰＵ２１に送信して（Ｓ３４）、再び操作キーが押されるのを待つ（Ｓ３２）。当該操作キーがレコーダ部２用の操作キーではない場合（Ｓ３３：ＮＯ）、すなわち当該操作キーがテレビ部４用の操作キーである場合は、ＣＰＵ４１は他の処理（例えば、選局キーが押されたときは、選局された放送チャンネルをチューナ４６に設定する処理）を行い（Ｓ３５）、再び操作キーが押されるのを待つ（Ｓ３２）。
【００２５】
以上述べた実施形態においては、ビデオデコーダ２８が出力するデジタル放送映像信号Ｓｂをビデオエンコーダ３０でエンコードすることによりＹ／Ｃ信号Ｓｄを生成したが、これに代えて、ＭＰＥＧ２エンコーダ２７が出力する信号をＭＰＥＧ２デコーダ２９に入力することにより上記のＹ／Ｃ信号Ｓｄを得るようにしても、本発明を実施することができる。このようにした場合には、ビデオデコーダ２８とＭＰＥＧ２エンコーダ２７とが本発明のビデオデコーダに相当し、ビデオエンコーダ３０とＭＰＥＧ２デコーダ２９とが本発明のビデオエンコーダに相当することになる。
【００２６】
また、上記実施形態では、Ｙ／Ｃ信号Ｓｄによって映像をモニタ５２に表示するようにしたが、これに代えて、輝度信号と２つの色差信号ＣＲ、ＣＢとからなるアナログのコンポーネント信号を生成するビデオエンコーダを採用し、コンポーネント信号によって映像をモニタ５２に表示するようにしてもよい。さらに、上記実施形態では、ビデオデコーダ２８がコンポジット信号Ｓａの信号レベルなどからコンポジット信号Ｓａの良否、すなわち放送信号の受信状態の良否を検知する検知手段を兼ねていたが、別に専用の検知手段を設けるようにしてもよい。また、他の方法で放送信号の受信状態の良否を検知するようにしてもよい。
【００２７】
さらに、上記実施形態では、記録媒体がＤＶＤ２５である場合について説明したが、記録媒体はＤＶＤ２５以外のもの（例えば、ＣＤ−ＲＷなどの光ディスクやハードディスク）であってもよい。さらに、上記実施形態では、チューナ４６が１つである場合について説明したが、裏番組を録画できるようにレコーダ部２にも別のチューナが設けられる場合であっても本発明を実施することができる。さらに、上記実施形態では、ＣＰＵ２１でレコーダ部２を制御し、ＣＰＵ４１でテレビ部４を制御する場合について説明したが、１つのＣＰＵでレコーダ部２およびテレビ部４を制御するようにしてもよい。
【図面の簡単な説明】
【００２８】
【図１】ＤＶＤレコーダ一体型テレビジョン受像機のブロック図である。
【図２】レコーダ部の動作を示すフローチャートである。
【図３】テレビ部の動作を示すフローチャートである。
【符号の説明】
【００２９】
２    レコーダ部（ＤＶＤレコーダ部）
４    テレビ部（テレビジョン受像機部）
２１  ＣＰＵ
２４  フラッシュメモリ
２５  ＤＶＤ
２６  記録再生部
２８  ビデオデコーダ
３０  ビデオエンコーダ
３１  出力信号選択回路
４１  ＣＰＵ
４６  チューナ
５２  モニタ
Ｓａ  コンポジット信号
Ｓｂ  デジタル放送映像信号
Ｓｃ  再生映像信号
Ｓｄ  Ｙ／Ｃ信号
【図１】
2006135852.tif 000003
【図２】
2006135852.tif 000004
【図３】
2006135852.tif 000005